(57)【要約】【課題】小型で携帯性に優れた放電機能付き端子カバーを提供すること。【解決手段】電子機器を駆動する二次電池を装着する端子カバーにおいて、二次電池を取り付けることにより長期保存に最適な状態まで放電を行うことを特徴とする。又、スイッチを切り換えることにより放電を開始することを特徴とする。更に、タイマーを内蔵し、二次電池の装着時から一定時間経過後により放電を開始することを特徴とする。【選択図】図７
2006024507.tif 000002
【特許請求の範囲】
【請求項１】
電子機器を駆動する二次電池を装着する端子カバーにおいて、
二次電池を取り付けることにより長期保存に最適な状態まで放電を行うことを特徴とする放電機能付き端子カバー。
【請求項２】
スイッチを切り換えることにより放電を開始することを特徴とする請求項１記載の放電機能付き端子カバー。
【請求項３】
タイマーを内蔵し、二次電池の装着時から一定時間経過後により放電を開始することを特徴とする請求項１記載の放電機能付き端子カバー。
【発明の詳細な説明】
【技術分野】
【０００１】
本発明は、リチウムイオン等の二次電池を長期保存に適する状態まで放電制御を行う放電機能付き端子カバーに関するものである。
【背景技術】
【０００２】
従来、この種の放電装置は一般に、ニッケル・カドミニウム二次電池の放電器のように、メモリー効果を改善することを目的として完全放電状態まで放電する機能を有していた。
【０００３】
【特許文献１】特開平１０−１５５１００号公報
【発明の開示】
【発明が解決しようとする課題】
【０００４】
しかしながら、この種の放電器は、メモリー効果を改善することが目的であったため、完全放電状態まで放電を行う機能のものしかなかった。リチウムイオン二次電池のように、完全充電状態で長期放置すると容量劣化を起こし、且つ、過放電状態になると特性劣化を起こすタイプの二次電池用の好適な放電器はなかった。
【０００５】
本発明は上記事情に鑑みてなされたもので、その目的とする処は、小型で携帯性に優れた放電機能付き端子カバーを提供することにある。
【課題を解決するための手段】
【０００６】
上記目的を達成するため、請求項１記載の発明は、電子機器を駆動する二次電池を装着する端子カバーにおいて、二次電池を取り付けることにより長期保存に最適な状態まで放電を行うことを特徴とする。
【０００７】
請求項２記載の発明は、請求項１記載の発明において、スイッチを切り換えることにより放電を開始することを特徴とする。
【０００８】
請求項３記載の発明は、請求項１記載の発明において、タイマーを内蔵し、二次電池の装着時から一定時間経過後により放電を開始することを特徴とする。
【発明の効果】
【０００９】
請求項１記載の発明によれば、リチウムイオン二次電池等の、長期放置に対して適度な放電が必要な二次電池に対して好適な放電を行う端子カバーを提供することが可能になる。
【００１０】
請求項２記載の発明によれば、ユーザーがスイッチを切り換えることにより放電を選択することが可能になる。
【００１１】
請求項３記載の発明によれば、二次電池の装着タイマーにより、一定時間経過後（これから長期保存されると考えられる状態）を検出して自動で放電を開始することにより、ユーザーが長期保存を意識しなくとも最適な放電状態を作り出すことが可能になる。
【発明を実施するための最良の形態】
【００１２】
以下、図面を参照して本発明の好適な実施形態について詳細に説明する。
【００１３】
＜実施の形態１＞
図１は本発明の端子カバーを最も良く表すブロック図である。
【００１４】
１は放電機能付き端子カバー、２は二次電池、３及び４は二次電池の出力端子、５及び６は放電装置側の入力端子、７は電圧検出器、８放電ＯＮ／ＯＦＦスイッチ、９は電流制限抵抗、１０は放電表示ＬＥＤ、１１は放電用抵抗器である。
【００１５】
端子カバー１に二次電池２が装着されると、電圧検出器７は二次電池２が長期保存に適した電圧であるかどうかを検出し、指定された電圧以上であればスイッチ８をＯＮし、放電用抵抗器１１に電流を流して放電を開始する。放電中は放電表示ＬＥＤ１０が点灯する。その後、二次電池２が予め設定された電圧まで低下すると、電圧検出器７はスイッチ８をＯＦＦして放電を終了する。尚、図１では本発明の説明に必要のない一般的な放電用の回路構成については図示を省略している。
【００１６】
図２は本発明のフローチャートである。
【００１７】
Ｓ（ステップ）１０１はスタート、Ｓ１０２は二次電池の装着、Ｓ１０３は二次電池の電圧検出分岐、Ｓ１０４は放電の開始、Ｓ１０５は放電完了分岐、Ｓ１０６はＥＮＤである。
【００１８】
Ｓ１０２で二次電池の装着を検出すると、Ｓ１０３で電圧検出器７により二次電池の電圧を検出し、長期保存に対して放電が必要であればＳ１０４に移行し、二次電池が長期放置可能な状態であればＳ１０６で終了する。Ｓ１０４で放電ＯＮ／ＯＦＦスイッチ８をＯＮして放電を開始し、Ｓ１０５で電圧検出器７が予め設定した電圧まで放電を行うとＳ１０６で放電ＯＮ／ＯＦＦスイッチ８をＯＦＦして終了する。
【００１９】
本実施の形態では、特に図示しないが、端子カバーを長手方向に逆に取り付けると放電を開始しない構造にすると、ユーザーが必要に応じて放電を選択可能な端子カバーになる。尚、図２では本実施の形態の説明に必要のない一般のフローについては図示を省略している。
【００２０】
＜実施の形態２＞
図３は実施の形態２の端子カバーを最も良く表すブロック図である。図３において、１〜１１までは実施の形態１の図１と共通である。図３では放電ＯＮ／ＯＦＦスイッチ１２が追加されている。このスイッチは本実施の形態２では、図７のスライドスイッチのような形状である。
【００２１】
スイッチ１２をＯＮすることにより放電を開始する。通常の端子カバーとして用いる場合は、スイッチ１２はＯＦＦにしておく。
【００２２】
図４は本実施の形態のフローチャートである。本実施の形態２ではＳ２０３の放電スイッチ検出分岐が追加されている。その他のフローについては実施の形態１の図２と同様であるため、図示を省略する。
【００２３】
＜実施の形態３＞
図５は実施の形態３のブロック図である。実施の形態２の図３に加え、タイマー１３が追加されている。タイマー１３は二次電池の装着時にスタートし、一定時間経過後（例えば２週間）にスイッチ１２（この場合はトランジスタ等の電気的スイッチ）をＯＮし、自動的に放電を開始するように構成されている。
【００２４】
図６は本実施の形態３のフローチャートである。本実施の形態３では、Ｓ３０３のタイマー検出分岐が追加されている。その他のフローについては実施の形態１の図２と同様なので省略する。
【００２５】
図７は本発明に用いられる、実施の形態２の形態例を示している。１０１は実施の形態２の端子カバー、１０２は端子カバー側の接点（＋）、１０３は端子カバー側の接点（−）、１０４は放電ＯＮ／ＯＦＦスイッチ、１０５は放電表示ＬＥＤ、１０７は二次電池の出力端子（＋）、１０８は二次電池の出力端子（−）である。
【００２６】
図８は従来の端子カバーを示している。２０１は従来の端子カバー、２０２は二次電池、２０３は二次電池の出力端子（＋）、２０４は二次電池の出力端子（−）である。
【図面の簡単な説明】
【００２７】
【図１】本発明の実施の形態１のブロック図である。
【図２】本発明の実施の形態１のフローチャートである。
【図３】本発明の実施の形態２のブロック図である。
【図４】本発明の実施の形態２のフローチャートである。
【図５】本発明の実施の形態３のブロック図である。
【図６】本発明の実施の形態３のフローチャートである。
【図７】本発明の実施の形態２の端子カバーを示す図である。
【図８】従来の端子カバーを示す図である。
【符号の説明】
【００２８】
１，１０１  端子カバー
２，１０６，２０２  二次電池
３，１０７，２０３  二次電池の出力端子（＋）
４，１０８，２０４  二次電池の出力端子（−）
５，１０２      端子カバー側の接点（＋）
６，１０３      端子カバー側の接点（−）
７    電圧検出器
８    放電ＯＮ／ＯＦＦスイッチ
９    ＬＥＤの電流制限抵抗
１０，１０５    放電表示ＬＥＤ
１１  放電抵抗
１２，１０４    放電開始スイッチ
１３  タイマー
【図１】
2006024507.tif 000003
【図２】
2006024507.tif 000004
【図３】
2006024507.tif 000005
【図４】
2006024507.tif 000006
【図５】
2006024507.tif 000007
【図６】
2006024507.tif 000008
【図７】
2006024507.tif 000009
【図８】
2006024507.tif 000010